(57)【要約】      （修正有）【課題】比較的軽量でありながら、安全に型枠の吊上げ作業を行うことができ、また、型枠への取り付けも容易である型枠吊上げ用金具を提供する。【解決手段】堰板３０と横端太材３２の間に取り付けられて、型枠３を吊上げるための型枠吊上げ用金具１であって、堰板３０に取り付けられた縦端太材３１と同じ幅を有する板状部と、板状部の幅方向に型枠緊結金具２を固定する固定部を備え、板状部の上部には、ワイヤーロープを取り付ける掛止部が形成されている。固定部で型枠緊結金具２にしっかりと固定することにより、型枠３を確実に保持でき、横端太材３２を介して、他の金具に荷重負担を分散されるため、型枠３に過度の負担がかかることが回避され、型枠３の損傷が防止され、また、吊上げ中にワイヤーロープ５の位置がずれることがなく、安全に作業を行うことができる。【選択図】図３
2019090284.tif 000002
【特許請求の範囲】
【請求項１】
堰板と横端太材の間に取り付けられて、型枠を吊上げるための金具であって、
堰板に取り付けられた縦端太材と同じ幅を有する板状部と、前記板状部の幅方向に型枠緊結金具を固定する固定部を備え、
前記板状部の上部には、ワイヤーロープを取り付ける掛止部が形成されていることを特徴とする、型枠吊上げ用金具。
【請求項２】
前記板状部は、前記固定部の上下において横端太材を受けることができる長さを有することを特徴とする、請求項１に記載の型枠吊上げ用金具。
【請求項３】
前記板状部を一対備え、それら板状部の間に前記固定部を備えることを特徴とする、請求項１または２に記載の型枠吊上げ用金具。
【請求項４】
前記一対の板状部の下端同士は連結されていることを特徴とする、請求項３に記載の型枠吊上げ用金具。
【請求項５】
前記固定部は、型枠緊結金具のボルトを通す筒形状を有することを特徴とする、請求項１〜４のいずれかに記載の型枠吊上げ用金具。
【発明の詳細な説明】
【技術分野】
【０００１】
本発明は、コンクリート打設用の型枠を吊上げるための型枠吊上げ用金具に関する。
【背景技術】
【０００２】
建物の規模が大きなマンションや病院などの建築現場では、コンクリート打設用に大型の型枠が用いられる。このような大型の型枠を設置する際には、型枠をワイヤーロープで吊上げて移動させる。従来、型枠を吊上げる場合は、型枠を構成する横端太材に直接ワイヤーロープを巻きつけて吊上げていた。しかし、横端太材にワイヤーロープを強固に巻きつけても、吊上げ中に型枠が左右に揺られてワイヤーロープが動き、型枠のバランスが保たれない危険性がある。そこで、型枠を吊上げる金具に関し、次のような先行技術が開示されている。
【０００３】
特許文献１の型枠建込み用吊り冶具は、パイプに鈎片を備えており、鈎片に横端太材を係合させて、複数並んだパイプにロープを通して吊上げる技術である。しかし、この技術では、横端太材のそれぞれに鈎片を係合させるため、冶具自体が大きく、大重量となるため作業性が悪い。
【０００４】
特許文献２の型枠の吊金具は、逆Ｕ字形状で、開放部側にストッパーを有した止め杆から構成されており、型枠天端から離れた所要位置の吊用孔に取り付けて、ロープなどで吊上げる技術である。しかし、この技術では、型枠に開けた孔に金具を取り付けるため、荷重が型枠に直接作用して型枠を損傷する可能性がある。型枠を損傷すると、型枠の使い回しができなくなってしまう。
【先行技術文献】
【特許文献】
【０００５】
【特許文献１】実公平６−７１７２号公報
【特許文献２】特開平１１−１３０３７３号公報
【発明の概要】
【発明が解決しようとする課題】
【０００６】
本発明は、上記のような従来の問題点に鑑みてなされたものであり、比較的軽量でありながら、安全に型枠の吊上げ作業が行うことができ、また、型枠への取り付けも容易である型枠吊上げ用金具の提供を目的とする。
【課題を解決するための手段】
【０００７】
この目的を達成するために、堰板と横端太材の間に取り付けられて、型枠を吊上げるための金具であって、堰板に取り付けられた縦端太材と同じ幅を有する板状部と、前記板状部の幅方向に型枠緊結金具を固定する固定部を備え、前記板状部の上部には、ワイヤーロープを取り付ける掛止部が形成されていることを特徴とする、型枠吊上げ用金具が提供される。
【０００８】
この型枠吊上げ用金具において、前記板状部は、前記固定部の上下において横端太材を受けることができる長さを有していても良い。また、前記板状部を一対備え、それら板状部の間に前記固定部を備えていても良い。その場合、前記一対の板状部の下端同士は連結されていても良い。また、前記固定部は、型枠緊結金具のボルトを通す筒形状を有していても良い。
【発明の効果】
【０００９】
本発明の型枠吊上げ用金具は、板状部と固定部からなり、比較的軽量でありながら、型枠緊結金具を利用して確実に吊り上げることができる。また、縦端太材と同じ幅を有する板状部により、型枠吊上げ用金具をより強固に固定することができる。また、型枠緊結金具の過度の締付け防止にもなる。しかも、型枠緊結金具を固定する固定部を備えることにより、横端太材を介して、他の金具に荷重負担を分散させるため、型枠に過度の負担がかかることが回避され、型枠の損傷が防止され、型枠の使いまわしもできるとともに、固定部で型枠緊結金具にしっかりと固定することにより、型枠を確実に保持でき、吊上げ中にワイヤーロープの位置がずれることがなく、安全に作業を行うことができる。
【図面の簡単な説明】
【００１０】
【図１】本発明の実施の形態にかかる型枠吊上げ用金具の斜視図である。
【図２】型枠緊結金具の正面図である。
【図３】本発明の実施の形態にかかる型枠吊上げ用金具を用いて型枠を吊上げた状態の説明図である。
【図４】型枠緊結金具を型枠に取り付けた状態を示す説明図である。
【図５】本発明の実施の形態にかかる型枠吊上げ用金具を型枠緊結金具に固定した状態、および、型枠吊上げ用金具にワイヤーロープを取り付けた状態を示す説明図である。
【図６】本発明の別の実施の形態にかかる型枠吊上げ用金具の側面図である。
【図７】本発明の別の実施の形態にかかる型枠吊上げ用金具の側面図である。
【発明を実施するための形態】
【００１１】
以下、本発明の実施の形態にかかる型枠吊上げ用金具１について、図面を参照しながら説明する。なお、本明細書および図面において、実質的に同一の機能構成を有する要素においては、同一の符号を付することにより重複説明を省略する。
【００１２】
図１に示すように、本発明の実施の形態にかかる型枠吊上げ用金具１は、所定の間隔を空けて平行に配置された一対の板状部１０、１０を有している。板状部１０、１０は、例えば鋼板をＶ字状に折り曲げることにより構成され、板状部１０、１０の下端同士は、その折り曲げ部分１１によって連結された状態となっている。
【００１３】
板状部１０、１０の幅Ｌは、型枠３の堰板３０に取り付けられた縦端太材３１と同じ大きさに設定されている。板状部１０、１０の上部には、ワイヤーロープ５を取り付ける掛止部１２が形成されている。この実施の形態では、掛止部１２は、シャックル５１のピン５２を通すための丸孔形状になっている。
【００１４】
板状部１０、１０の間には、型枠緊結金具２を固定する固定部１５を備える。この固定部１５は、型枠緊結金具２のボルト２１を通す筒形状を有している。固定部１５は、板状部１０、１０に対して溶接等によって取り付けられている。板状部１０、１０の側縁には、固定部１５に対応する位置に、切欠き１６が形成されている。
【００１５】
図２に示すように、型枠緊結金具２は、先端につば部２０が形成されたボルト２１と、ボルト２１が通される座金２２と、ボルト２１にネジ止めすることで座金２２を押さえるナット２３を備えている。ナット２３をねじ込むことにより、座金２２をボルト２１の先端側（つば部２０に近づく方向）に押さえることができる。座金２２には、型枠３に取り付ける際に横端太材３２を受容するための凹部２４が形成されている。
【００１６】
図３、４に示すように、型枠３は、合板（コンパネ）や樹脂パネル等からなる堰板３０の背面側に角材等からなる複数本の縦端太材３１を適当な間隔で平行に取り付けた構成を有している。縦端太材３１の幅（型枠３と垂直な方向の長さであり、図４中の左右方向の長さ）Ｍは、型枠吊上げ用金具１の板状部１０の幅Ｌと等しい。図３に示すように、この実施の形態では、堰板３０の背面側に４本の縦端太材３１を平行に取り付けた型枠３を、横に６列並べて組み合わせて、そのそれぞれの縦端太材３１同士を釘等で連結することにより、一つの大型の型枠３’を構成している。さらに、これら６つの型枠３は、縦端太材３１のさらに背面側に配置された横端太材３２と、型枠緊結金具２によって、より強固に連結されている。
【００１７】
横端太材３２は鋼製、樹脂製等の管部材からなり、複数の横端太材３２を並べる等することによって、６つの型枠３をつなげるのに十分な長さに構成されている。図３に示すように、横に並べた６つの型枠３の背面側において、縦端太材３１と直交させて横端太材３２を配置し、複数の型枠緊結金具２を取り付けることによって、縦端太材３１の背面側に横端太材３２が押し付けられている。
【００１８】
図４に示すように、堰板３０の表側（コンクリートが打設される領域側）に配置される型枠支承具３５の内部にはネジ３６が装着されており、このネジ３６の先端は、堰板３０に形成された貫通孔に通されて、堰板３０の背面側に配置された型枠緊結金具２のボルト２１の先端面にねじ込まれている。型枠緊結金具２のボルト２１の先端面には、このネジ３６の先端をネジ止めさせるためのネジ穴が設けられている。このネジ３６を締め付けることにより、ボルト２１先端のつば部２０と型枠支承具３５との間で堰板３０がしっかりと挟まれ、型枠緊結金具２のボルト２１が堰板３０の背面側に垂直に取り付けられている。
【００１９】
そして、型枠緊結金具２のボルト２１には、縦端太材３１の背面側に配置された横端太材３２の上（型枠３の背面側）から押さえるようにして座金２２が通され、さらにその上（型枠３の背面側）からボルト２１にナット２３が装着される。このナット２３を締め付けることにより、座金２２を介して横端太材３２が縦端太材３１の背面側に押し付けられ、縦端太材３１と横端太材３２が格子状に組まれた状態で保持される。また、このように縦端太材３１と横端太材３２が格子状に組まれた状態では、横端太材３２は、座金２２に形成された凹部２４に受容され、横端太材３２の位置ずれが防止される。この実施の形態では、２本ずつ８か所で合計１６本の横端太材３２を用い、各２本ずつの横端太材３２をそれぞれ１２個（合計１２×８＝９６個）の型枠緊結金具２で固定することにより大型の型枠３’が構成されている。
【００２０】
本発明の実施の形態にかかる型枠吊上げ用金具１は、こうして横端太材３２と型枠緊結金具２によって６つの型枠３を横に連結して構成された大型の型枠３’を一体的に吊上げるように、大型の型枠３’の上部２か所に取り付けられている。２つの型枠吊上げ用金具１は、大型の型枠３’をバランスよく吊上げることができるように、大型の型枠３’の上部両側近傍の対象位置に取り付けられている。
【００２１】
図３に示すように、大型の型枠３’に対する型枠吊上げ用金具１の取り付けは、大型の型枠３’の上部両側近傍の対象位置に取り付けられた任意の一対の型枠緊結金具２を利用して行われる。この実施の形態では、一番上の横列に配置された１２個の型枠緊結金具２の内、両外側からそれぞれ２個目の型枠緊結金具２に型枠吊上げ用金具１が取り付けられている。
【００２２】
すなわち、大型の型枠３’の一番上の横列の両外側から２個目の型枠緊結金具２では、図５に示すように、堰板３０の背面側に垂直に取り付けられたボルト２１を、型枠吊上げ用金具１の固定部１５に通すことにより、型枠吊上げ用金具１の板状部１０の幅方向が型枠３の堰板３０の背面に対して垂直となるように配置されている。そして、型枠吊上げ用金具１の板状部１０は堰板３０と横端太材３２の間で挟まれ、横端太材３２は、型枠緊結金具２のボルト２１に装着された座金２２とナット２３で押さえられている。そして、ナット２３を締め付けることにより、型枠吊上げ用金具１の板状部１０が堰板３０と横端太材３２の間でしっかりと保持されている。なお同様に、この型枠吊上げ用金具１の取り付け位置においても、横端太材３２は、座金２２に形成された凹部２４に受容され、横端太材３２の位置ずれが防止される。
【００２３】
このように大型の型枠３’の上部両側近傍に取り付けられた型枠吊上げ用金具１には、ワイヤーロープ５がそれぞれ取り付けられる。図５に示すように、ワイヤーロープ５の下端に設けられたループ部５０にシャックル５１が取り付けられ、このシャックル５１のピン５２を、型枠吊上げ用金具１の板状部１０の上部に設けられた掛止部１２（丸孔形状）に通して固定することにより、型枠吊上げ用金具１にワイヤーロープ５が接続される。
【００２４】
こうして、大型の型枠３’の上部両側近傍をワイヤーロープ５で吊上げ、クレーンやホイストなどの吊上げ機械によって、大型の型枠３’を指定の場所へ移動させてコンクリート型枠を完成させる。そして、コンクリート型枠内にコンクリートを打設することにより、建築物の施工が行われる。また、コンクリートの養生後、再び、ワイヤーロープ５により大型の型枠３’を吊上げ、例えば上層階の型枠設置箇所などに移動させる。
【００２５】
この実施の形態にかかる型枠吊上げ用金具１は、板状部１０、１０の幅Ｌが縦端太材３１の幅Ｍと等しく設定されているので、型枠吊上げ用金具１の取り付け箇所においても、堰板３０と横端太材３２との距離が縦端太材３１の幅Ｍと等しくなり、横端太材３２の全長に渡って堰板３０と横端太材３２との距離が等しく保たれるため、型枠吊上げ用金具１をより強固に固定することができる。また、型枠吊上げ用金具１の取り付け箇所においても、ボルト２１による過度の締め付けが回避され、型枠３（３’）の損傷が防止されて、型枠３（３’）の使いまわしもできるようになる。
【００２６】
また、型枠緊結金具２のボルト２１を固定部１５に通し、板状部１０を堰板３０と横端太材３２の間で挟んだ状態で型枠吊上げ用金具１がしっかりと固定されるため、型枠３（３’）を確実に保持でき、吊上げ中にワイヤーロープ５の位置がずれることがなく、安全に作業を行うことができる。さらには、横端太材３２を介して、他の金具に荷重負担を分散させるため、型枠３（３’）の損傷が防止されて、型枠３（３’）の使いまわしができる。なお、型枠吊上げ用金具１の板状部１０を堰板３０と横端太材３２の間で挟んだ際には、図４に示すように、ボルト２１先端のつば部２０が板状部１０の側縁に設けられた切欠き１６に受容される。このため、板状部１０の側縁からつば部２０が突出することが無く、板状部１０の側縁全体を堰板３０の背面に隙間なく密着させることができる。その結果、ナット２３を締め付けることにより、型枠吊上げ用金具１がしっかりと保持され、型枠３（３’）を安定的に吊上げることができる。
【００２７】
さらに、この実施の形態にかかる型枠吊上げ用金具１は、所定の間隔を空けて平行に配置された一対の板状部１０、１０を有しているため、固定部１５に通されたボルト２１の両側において、座金２２からの押圧力を一対の板状部１０、１０で均等に受け止めることができ、型枠吊上げ用金具１が安定して固定される。また、一対の板状部１０、１０がＶ字状に構成されていれば、溶接等によって取り付けられた固定部１５が下方に落ちることが無く、型枠３（３’）の荷重を確実に支えることができる。なお、２本ずつ配置される横端太材３２からの押圧力を固定部１５に通されたボルト２１の上下において均等に受け止めることができるようにするためには、図５に示すように、板状部１０、１０は、固定部１５の上下において、横端太材３２を受け止めることができる位置までの長さを有していることが望ましい。
【００２８】
以上、本発明の実施の形態にかかる型枠吊上げ用金具１を例示して説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２９】
図６に示す型枠吊上げ用金具１’は、一対の板状部１０、１０が互いに別の部材であり、間に配置された固定部１５によって、それら一対の板状部１０、１０が固定されている。また、図７に示す型枠吊上げ用金具１”は、図１に示した型枠吊上げ用金具１と同様に、一対の板状部１０、１０が鋼板等をＶ字状に折り曲げることにより構成されているが、折り曲げ部分１１の上方にゲート部材５５を取り付けられ、このゲート部材５５と折り曲げ部分１１との間が、ボルト２１を通す固定部１５となっている。これら図６に示す型枠吊上げ用金具１’および図７に示す型枠吊上げ用金具１”も、本発明の技術的範囲に属する。また、板状部１０は必ずしも一対なくても良く、一枚のみでも構わない。
【産業上の利用可能性】
【００３０】
本発明の型枠吊上げ用金具は、コンクリート打設用の型枠を吊下げる際に好適に用いることができ、特に建物の規模が大きなマンションや病院などの建築現場で有用である。
【符号の説明】
【００３１】
１  型枠吊上げ用金具
２  型枠緊結金具
３  型枠
３’  大型の型枠
５  ワイヤーロープ
１０  板状部
１１  折り曲げ部分
１２  掛止部
１６  切欠き
２０  つば部
２１  ボルト
２２  座金
２３  ナット
２４  凹部
３０  堰板
３１  縦端太材
３２  横端太材
３５  型枠支承具
３６  ネジ
５０  ループ部
５１  シャックル
５２  ピン
５５  ゲート部材
【図１】
2019090284.tif 000003
【図２】
2019090284.tif 000004
【図３】
2019090284.tif 000005
【図４】
2019090284.tif 000006
【図５】
2019090284.tif 000007
【図６】
2019090284.tif 000008
【図７】
2019090284.tif 000009